(57)【特許請求の範囲】
【請求項１】
マンホールカバーであって：
マンホールカバーを適切な場所に固定する係止デバイス；および
カバーが取り除かれたマンホールの場所を特定するための係止デバイス内の送信機；
を含む、前記マンホールカバー。
【請求項２】
マンホールカバーであって：
マンホールカバーを適切な場所に固定する係止デバイス；
係止デバイスを取り除くことを防止するボルト；
ボルトに被せられたキャップ；
キャップが取り除かれたことを示す係止デバイス内の送信機；
を含む、前記マンホールカバー。
【発明の詳細な説明】
【技術分野】
【０００１】
本発明は、係止デバイスおよび方法に関し、より具体的には、例えば水道、ガス、通信、電気などのユーティリティーに近づくために道路に導入される排水マスやマンホールのカバーに適用されるようなデバイスおよび方法に関する。
【背景技術】
【０００２】
排水マスやマンホールのカバーは、がれき類が入らないようにし、周辺道路上の歩行者および車両に支持面を提供するために備えられる。カバーが取り除かれた場合には、排水マスやマンホールが開いていることにより車両および歩行者の交通は極めて危険になる。破壊者やスカベンジャーによりこれらのカバーが取り除かれることは、カバーを適当な位置に固定する何らかの手段についての緊急の必要性を生み出す問題となっている。既存の排水マスおよびマンホールのカバーに導入される係止デバイスは存在せず、既存のカバーに単純な後付装置を提供することは非常に価値がある。そのようなデバイスは、交通および天気および破壊者またはテロリストがそれを取り除こうとする行動に耐えるように頑丈でなければならない。対象となる数量が多いので、労働コストを最小にする単純な導入方法が必要になる。該デバイスは道路、特に除雪車の障害物になってはならず、歩行者をつまずかせてはならない。
既存のマンホールおよび排水マスのカバーに単純な後付装置を提供するために手早く導入できる係止デバイスおよび方法を提供することが本発明の目的である。
頑丈で、誤用および交通混雑に耐えることができ、道路に障害を作ることなく確実にそのようなカバーを適切な場所に固定するデバイスを提供することが本発明のさらなる目的である。
【発明の概要】
【０００３】
これらの目標およびその他は以下の明細書を読むことによって理解され、特許請求の範囲は、カバーの開口部にカバーフレームの側壁に隣接して導入できる係止デバイスを提供することによって達成される。デバイスは、デバイスを導入するために下部部材を関節運動（articulation）できるようにするために、互いに端と端で連結する上部部材と下部部材を含んでなり、該部材は当初一列に端と端をつながれており、カバーの開口部に導入される。部材は、相互勘合デテント構造（interfit detent features）を含むデテント機構により一列に端と端をつないで保持され、それぞれの部材は一または二以上のスプリングによってその場所に保持され、スプリングは係合の相互勘合デテント構造の維持のため部材をお互いに引き寄せる力を作用させる。
【０００４】
上部部材にある孔を通って延在し、トラニオン部材に左ねじにより受け取られる耐タンパーヘッド（変更防止ヘッド）をボルトは有する。該トラニオン部材は下部部材に含まれる間隔を空けた壁により定義される空間を横切って延在し、下部部材に回転可能に着設される。スプリングの力に対抗し、それにより相互勘合デテント構造を遊離させることができるように、ボルトヘッドを上部部材の底部壁に逆らって下方へ押すことができる。その後（１個または２個以上の）スプリングは、下部部材をトラニオン上で上部部材に対して回転させ、それにより、下部部材は開口部に近い側壁に向かって、下部部材の底部端が側壁と係合するまで曲がる。好ましくは、側壁と係合している下部部材の底部縁に沿って、歯が形成される。
【０００５】
同時に下部部材の上部端のノッチ型外形は、挿入する際にデバイスを通したカバーの開口部の端と係合するように移動する。
その後、下部部材を引き上げるために、特別なソケット工具を用いて、トラニオンとのねじによる連結によりボルトを前進させる。作用面を提供するために、上部部材はカバーに覆い被さっているフランジを有する。これにより、側壁と開口部縁の間に下部部材を強力にくさび留めし、前記カバーを持ち上げることを防ぐ。４つの係止デバイス、すなわちカバーの各側に各々２つの係止デバイスを導入することで、それを取り除くのを防ぐためにカバーは開口部にしっかりとくさび留めされる。
【０００６】
ボルトヘッドは上部部材の上端部にある凹部内に受け取られる。またボルトヘッドは、標準的な工具を用いて係止デバイスを取り除くことを防止するために、ねじ回しに特別な工具を必要とする外形を有する。
ボルトのねじ山の風化を防止し、詰まってしまうゴミやがれき類の侵入を防止するために、プラスチックのキャップが凹部の中にボルトヘッドに被せられて配置される。該キャップの特別な機能では、キャップが取り除かれた場合にタンパーインジケーターを提供することができる。
【０００７】
デバイスの特別な種類はマンホールカバーに使用される。この場合、アダプタスリーブがマンホールカバーに空けられた円形の孔に適合し、マンホールカバーの下側に形成されたねじ孔に受け取られたボルトによってデバイスは該カバーに固定される。上部部材はアダプタスリーブ内の中央の長方形開口部内に受け取られ、該上部部材は、アダプタスリーブの長方形開口部に近い上端の表面になめらかに覆い被さる円形のフランジを有する。
【０００８】
デバイスが挿入されたマンホールカバーの開口部からより離れたところに位置する側壁の端に歯のあるエクステンションアームの底部端が届くように、エクステンションアームが下部部材の底部端に固定される。エクステンションアームはピボットボルトおよびシアピンを用いて取り付けられる。そのため、ガス爆発などのイベントがあった場合には、カバーは開放され自由に吹き飛ばされることが可能となり、構造的なダメージを防ぐ。アダプタスリーブは、下部部材のノッチ型外形と係合する端を与えるために下方へ突出する開口壁を与え、排水マス用の係止デバイスと同様にくさび留めを構築する。
【０００９】
特別の無線信号デバイスをキャップ内に導入することもでき、タンパーが検出された場合にリピーターアンプを通じて中央ステーションへ遠隔警報を提供することができる。これは、カバーが取り除かれるかまたはタンパーされたときに排水マスまたはマンホールの場所を特定するために使用することもできる。
【図面の簡単な説明】
【００１０】
【図１】本発明による係止デバイスの分解斜視図である。
【図２】本発明による係止デバイスの正面図である。
【図３】図１および２に示す係止デバイスの背面図である。
【図４】排水マスカバーに挿入された図１〜３に示す係止デバイスの側面図であり、隣接する側壁の一部と共に示す図である。
【図５】図４に示す係止デバイスの上部部材と下部部材が関節運動された状態の側面図である。
【００１１】
【図６】耐タンパーボルトの形を示す上部部材の上面図である。
【図７】想像線を用いた上部部材の側面図であり、上部部材の凹部に被さるボルトヘッドに位置するキャップと共に設置される不正開封防止ボルトを示す図である。
【図８】図７に導入され示されたプラスチックのフランジを有するキャップの斜視図である。
【００１２】
【図９】本発明による係止デバイスを４つ導入した排水マスカバーの上面図である。
【図１０】無線送信機モニターと共に導入されたキャップの線図である。
【図１１】図示のマンホールカバーに適合するような形状を有し、そこに導入された改良された係止デバイスの側面図であり、マンホールカバーフレームの側壁の一部分の断面と共に示す図である。
【００１３】
【図１２】図１１に示すマンホールカバー係止デバイスの下部部材の正面図であり、そこに導入されたエクステンションアームの一部分と共に示す図である。
【図１３】係止デバイスが導入されたマンホールカバーの平面図である。
【図１４】マンホールカバーの一部分および取り付けイヤーおよびボルトの一つを示すアダプタスリーブの断面図である。
【発明を実施するための形態】
【００１４】
詳細な説明
以下の詳細な説明において、ある特定の専門用語が明確化のために用いられ、３５ＵＳ１１２の要求に従って特定の態様について説明するが、本発明は添付の特許請求の範囲内において多くの形式およびバリエーションを採り得るのであるから、これらに限定する意図はなく、そのように解釈すべきでないことが理解されるべきである。
【００１５】
図面を参照し、まず本発明による係止デバイス１０は、側壁１６によって範囲を明確にされる開口部上に被さっている排水マスカバー１４の開口部１２へ挿入されることによって導入できるように設計される。
【００１６】
係止デバイス１０は、一般的に長方形の、適度に細長い上部部材１８および下部部材２０を含み、これらは好ましくは高強度鋼で構成され、その間に関節運動を許す方法で互いに端と端とで連結する。導入の前に、図２および４に示されるように部材１８、２０は一列に端と端をつなぐようにされる。上部部材１８は、フランジ２２を上端に有し、このフランジ２２は、開口部１２を通りカバー１４下部の空間内にぶら下がる係止デバイスをつるすために開口部１２に隣接するカバー構造に覆い被さる。フランジ２２の縁はなめらかな外形を与えるために、丸くされている。
【００１７】
上部部材１８は一般的に長方形をしており、下部部材２０における間隔をおいて直立した一組の壁２４の間に入る大きさにされる。上部部材１８は、丸みを付けられた底部壁２８の一側面に、ぶら下がった長方形タブ２６を有し、これは、壁２４の間にある下部部材２０の後部にある横断ウェブ３０内の長方形凹部３０に相互に勘合する。下部部材２０がトラニオン４０の周りに回転することを防ぐことでその最初にセットされた一列の位置で上部部材１８および下部部材２０を開放可能に保持するために、タブ２６およｂ凹部３０はデテント（戻り止め）機構のデテント構造を含む。デテント機構は、それぞれ上部部材１８および下部部材２０の端のいずれかに連結する一個または二個以上のコイルスプリング３４も含む。
【００１８】
この目的のために、溝付きイヤー（取っ手）（slotted ear）３６が上部部材１８の一方の側の底部に形成され、溝付きイヤー３８が下部部材２０の他方の側でかつ間隔を置いた壁２４の内側に形成される。従ってスプリング３４は、トラニオン４０の下方および周囲、下部タブ３８の上にわたって延在し、タブ２６および凹部３０の係合を維持しようとするけん引力を発揮する。
【００１９】
スプリング３４は、トラニオン４０に巻き付けられるので、上部部材１８および下部部材２０を相対的に回転させようとするが、これは、上部部材１８と下部部材２０のトラニオン４０の周りの回転を防止するタブ２６と凹部３０の間の相互勘合の係合により止められる。
【００２０】
上部部材１８は、その上端から下方へ底部壁４４に延在する円筒形の孔４２を含む凹部をその上部端に有する。孔直線状のより小さい直径の孔４６が底部壁４４を通って延在し、その孔４６の中にボルト４８を摺動可能に受け入れる。ボルト４８は、耐タンパー形状のヘッド５０（図６参照）、およびトラニオン４０を貫通する横断孔５４と螺合する左巻きのねじ山を持つ胴体５２を有する。トラニオン４０は、間隔を空けた壁２４にある一列に並んだ孔５６に回転可能に取り付けられる。当初、底部壁４４が係合しない状態でボルト４８が導入される。
【００２１】
開口部１２に係止デバイス１０を挿入した後、スプリング３４の抵抗に逆らって下部部材２０を下方にかつ、上部部材１８から離れる方向に押すために、ボルトヘッド５０は底部壁４４に対して下方へ押される。
これがタブ２６を離脱するように凹部３０を下方へ変位させ、これにより図５に示すようにスプリング３４は、歯のある底部端５８が排水マスの側壁１６と係合するまで下部部材２０をトラニオン４０の周りに回転させることができる。
【００２２】
同時に、互いに間隔を空けた壁２４の上端のノッチ型輪郭６０は、両方ともカバー１４の開口部１２の底部端６２の方へ、それと係合するために回動する（図４および５）。
その後ボルト４８は、ボルトヘッド５０の曲がった一定でない平面６４（図６）と係合するように成形された専用のソケット工具（図示せず）を用いて回転させる。孔７０の大きさは該工具をボルトヘッド係合させることができるが、耐タンパー性のため、専用ではない調整できる工具が係合するには不十分な間隙しか残さない。
【００２３】
ボルト４８が前進することで、側壁１６および端６２との間が同じくらいきつくしっかりとくさび留めされるように、その左ネジ（逆ネジ）により関節運動された下部部材２０を持ち上げる。４つのデバイス１０が導入された場合、すなわち排水マスカバーのそれぞれの側に２つずつの場合には、カバー１４が取り除かれるのを防ぐであろう。
ボルトヘッド５０にぴったり被さり、がれき類がボルトヘッド５０の周囲に入らないようにするためにプラスチックキャップ６６（図７、８）が備えられる。
【００２４】
キャップ６６は、スロット６７によってその範囲を定義される部分６９に突出部６８を有し、これは上部部材１８の穴４２の底部に備えられた排水口７０にスナップ式に入る。穴４２は、突出部６８を取り付けるのを補助するための浅い溝６５、および、キャップのフランジ６３を収容するための浅いカウンターボア（座ぐり）６１が形成される。タンパーの証拠を提供するために、キャップのポケット７２に係合する爪を有する工具を用いてキャップ６６が取り除かれるときに、突出部６８は切り取られる。
【００２５】
図１０は、キャップ６６の下に導入された小型無線送信機電源ユニット７８を示し、これは、リピーターアンプシステムを通じて離れた場所へ信号を送信することができる。キャップ６６が取り除かれると、無線信号は中断され、離れた場所で不正干渉の警報をトリガーできる。信号はカバーのない排水マスの場所によって変化させることもできる。
【００２６】
図１１に示すように、デバイス１０は、改良されたマンホールカバー８０に使用するように適合することができる。この場合、イヤー８５、および、カバー８０の下側に機械加工される孔８９（図１４）にねじ込まれるボルト８７によって孔８２内に固定されたアダプタスリーブ８４を受け入れることができるように、孔８２がマンホールカバー８０の下側に空けられる。矩形開口部８６はアダプタスリーブ８４に形成され、該スリーブ８４を貫通する。端部８８は、上述の通り、ノッチ型輪郭６０によって係合されるように位置しているスリーブ８４の下側に作られる。図１１に示すように、アダプタスリーブ８４の下部端は、下部部材２０の適切な関節運動のための間隙を提供するために斜めに切り取られる。
【００２７】
下部部材２０はエクステンションアーム９０を有し、該エクステンションアームはピボットボルト９１およびシアピン９２によってそこに固定され、マンホールの側壁９４と係合可能な歯のある端を有する。爆発が起こった場合には、シアピン９２は切断され、エクステンションアーム９０はピボットボルト９１の軸の周りに自由に回転し、カバー８０は自由に吹き飛ばされることが可能となる。
【００２８】
マンホールカバーフランジ１００のほぼ反対側、マンホールカバー８０の下側に、第二のボルト９６が導入される。任意で、ボルト９６の代わりに第二のスリーブおよび係止アセンブリを互いに１８０°離れた位置に導入しても良い。
【図１】
0004824094.tif 000002
【図２】
0004824094.tif 000003
【図３】
0004824094.tif 000004
【図４】
0004824094.tif 000005
【図５】
0004824094.tif 000006
【図６】
0004824094.tif 000007
【図７】
0004824094.tif 000008
【図８】
0004824094.tif 000009
【図９】
0004824094.tif 000010
【図１０】
0004824094.tif 000011
【図１１】
0004824094.tif 000012
【図１２】
0004824094.tif 000013
【図１３】
0004824094.tif 000014
【図１４】
0004824094.tif 000015